(57)【要約】【課題】カメラ付きの折り畳み式携帯電子機器において、カメラ使用時に片手で持ちやすくし、撮影動作を迅速にする。【解決手段】本体部１に対し蓋部２を折り畳み可能にヒンジ結合した折り畳み式携帯電子機器であって、本体部１及び蓋部２を一端側でそれぞれ回動自在にヒンジ結合（４・５）する連結部３と、連結部３の他端側に向けて設けられた撮像デバイス３１とを備える。そして、連結部３の上面にシャッターボタン３２を設け、連結部３の先端面に撮像デバイス３１を開閉自在とするレンズバリア３３を備える。また、本体部の制御と撮像デバイス３１の開閉によりカメラモジュール３００の起動を制御する制御部１２２と、カメラモジュール３００を制御するカメラ制御部１３３と、各部のデータ通信を制御するアドレス・データバス処理部１２３とを備える。【選択図】図１
2005167985.tif 000002
【特許請求の範囲】
【請求項１】
本体部と、
蓋部と、
前記本体部に結合される第１の回動軸と、
この第１の回転軸に平行し前記蓋部に結合される第２の回動軸と、
前記第１の回動軸と前記第２の回動軸とに夫々直角に交わる方向を光軸とするレンズと、
このレンズを介して入力された被写体を撮像する撮像手段と、
この撮像手段による撮像を指示する指示手段とを備える連結部とを備えることを特徴とする撮像装置。
【請求項２】
前記本体部及び前記蓋部が開かれた状態で露出する第１の表示手段と、
前記指示手段による指示に基づいて前記撮像手段を制御する撮像制御手段と、
前記撮像制御手段によって撮像された画像を前記第１の表示手段に表示させる第１の表示制御手段と
を更に備えることを特徴とする請求項１に記載の撮像装置。
【請求項３】
前記本体部と前記蓋部とが重なった状態で露出する第２の表示手段を更に備え、
前記第１の表示制御手段は、前記本体部と前記蓋部とが重なった状態のとき、前記撮像制御手段によって撮像された画像を前記第２の表示手段に表示させるよう制御することを特徴とする請求項２に記載の撮像装置。
【請求項４】
外部との無線通信処理を行う無線通信手段と、
この無線通信手段による無線通信処理に関わる情報を前記第１の表示手段または第２の表示手段に表示させる第２の表示制御手段と、
前記撮像制御手段による撮像が行われているときは、前記第２の表示制御手段による制御よりも前記第１の表示制御手段による制御を優先させるように処理する処理制御手段と
を更に備えることを特徴とする請求項３に記載の撮像装置。
【請求項５】
前記本体部は音声入力手段を更に備えるとともに、前記蓋部は音声出力手段を更に備え、
前記音声入力手段によって入力された音声を外部に無線送信するとともに、外部より無線受信された音声を前記音声出力手段より出力させるよう前記無線通信手段を制御する無線通信制御手段を更に備えることを特徴とする請求項４に記載の撮像装置。
【請求項６】
前記連結部は、レンズバリアと、このレンズバリアの移動により前記レンズが露出した状態になると、撮影モードの開始を指示する開始指示手段とを更に備えることを特徴とする請求項１乃至５の何れかに記載の撮像装置。
【請求項７】
前記連結部は、前記レンズを駆動させるための駆動手段を更に備えることを特徴とする請求項１乃至６の何れかに記載の撮像装置。
【請求項８】
第１の回動軸と、この第１の回動軸に平行する第２の回動軸を備えた筐体に内蔵されるカメラモジュールであって、
前記第１の回動軸と前記第２の回動軸とに夫々直角に交わる方向を光軸とするレンズと、
このレンズを介して入力された被写体を撮像する撮像手段と、
前記レンズを駆動させるための駆動手段と、
前記撮像手段による撮像を指示するための指示手段と、
を備えるカメラモジュール。
【請求項９】
前記第１の回動軸または第２の回動軸の一方に隣接して、当該カメラモジュールにて撮像された画像を表示出力するための第１のデータ伝送手段と、
前記第１の回動軸または第２の回動軸の他方に隣接して、当該カメラモジュールにて撮像された画像を保存出力するための第２のデータ伝送手段と、
前記第２の伝送手段により入力されたデータを前記第１のデータ伝送手段を介して出力させるためのスイッチ手段と
を更に備えたことを特徴とする請求項８に記載のカメラモジュール。
【発明の詳細な説明】
【技術分野】
【０００１】
本発明は、折畳み可能な本体部と蓋部とを有する撮像装置、及びカメラモジュールに関する。
【背景技術】
【０００２】
キー入力操作を行う操作部を有する本体部を連結部の一端側にヒンジ結合して、表示部を有する蓋部を連結部の他端側にヒンジ結合した折り畳み式携帯電話機において、連結部にカメラ部を設けたものがある（例えば特許文献１参照）。
【特許文献１】特開２００２−１９８８４９号公報
【発明の開示】
【発明が解決しようとする課題】
【０００３】
しかしながら、このような従来の折り畳み式カメラ付き携帯電話は、単に携帯電話機にカメラ機能を付加したものであるために、携帯電話機としての取り扱い性に配慮が図られているが、カメラとしての取り扱い性についての配慮は乏しいものとなっていた。
【０００４】
本発明の課題は、カメラ付きの折り畳み式携帯電子機器に代表される撮像装置において、カメラ使用時に片手で持ちやすくし、撮影動作を迅速にすることにある。
また本発明の課題は、カメラ付きの折り畳み式携帯電子機器に代表される撮像装置において、通信処理、撮像処理において互いの処理動作をスムーズに切り替えることにある。
さらに本発明の課題は、高密度実装を要するカメラ付き携帯電話等のカメラモジュールにおいて、サイズの大型化を招く事の無いレンズ駆動機構を備えることにある。
【課題を解決するための手段】
【０００５】
以上の課題を解決するため、請求項１に記載の撮像装置は、本体部と、蓋部と、前記本体部に結合される第１の回動軸と、この第１の回転軸に平行し前記蓋部に結合される第２の回動軸と、前記第１の回動軸と前記第２の回動軸とに夫々直角に交わる方向を光軸とするレンズと、このレンズを介して入力された被写体を撮像する撮像手段と、この撮像手段による撮像を指示する指示手段とを備える連結部とを備えることを特徴とする。
【０００６】
請求項２に記載の発明は、請求項１に記載の撮像装置であって、前記本体部及び前記蓋部が開かれた状態で露出する第１の表示手段と、前記指示手段による指示に基づいて前記撮像手段を制御する撮像制御手段と、前記撮像制御手段によって撮像された画像を前記第１の表示手段に表示させる第１の表示制御手段とを更に備えることを特徴とする。
【０００７】
請求項３に記載の発明は、請求項２に記載の撮像装置であって、前記本体部と前記蓋部とが重なった状態で露出する第２の表示手段を更に備え、前記第１の表示制御手段は、前記本体部と前記蓋部とが重なった状態のとき、前記撮像制御手段によって撮像された画像を前記第２の表示手段に表示させるよう制御することを特徴とする。
【０００８】
請求項４に記載の発明は、請求項３に記載の撮像装置であって、外部との無線通信処理を行う無線通信手段と、この無線通信手段による無線通信処理に関わる情報を前記第１の表示手段または第２の表示手段に表示させる第２の表示制御手段と、前記撮像制御手段による撮像が行われているときは、前記第２の表示制御手段による制御よりも前記第１の表示制御手段による制御を優先させるように処理する処理制御手段とを更に備えることを特徴とする。
【０００９】
請求項５に記載の発明は、請求項４に記載の撮像装置であって、前記本体部は音声入力手段を更に備えるとともに、前記蓋部は音声出力手段を更に備え、前記音声入力手段によって入力された音声を外部に無線送信するとともに、外部より無線受信された音声を前記音声出力手段より出力させるよう前記無線通信手段を制御する無線通信制御手段を更に備えることを特徴とする。
【００１０】
請求項５に記載の発明によれば、音声による無線通信を行う構成を更に備えることにより、例えば折り畳み式カメラ付き携帯電話などでも、通信処理、撮像処理において互いの処理動作をスムーズに行うことができる。
【００１１】
請求項６に記載の発明は、請求項１乃至５の何れかに記載の撮像装置であって、前記連結部は、レンズバリアと、このレンズバリアの移動により前記レンズが露出した状態になると、撮影モードの開始を指示する開始指示手段とを更に備えることを特徴とする。          
【００１２】
請求項７に記載の発明は、請求項１乃至６の何れかに記載の撮像装置であって、前記連結部は、前記レンズを駆動させるための駆動手段を更に備えることを特徴とする。
【００１３】
請求項８に記載のカメラモジュールは、第１の回動軸と、この第１の回動軸に平行する第２の回動軸を備えた筐体に内蔵されるカメラモジュールであって、前記第１の回動軸と前記第２の回動軸とに夫々直角に交わる方向を光軸とするレンズと、このレンズを介して入力された被写体を撮像する撮像手段と、前記レンズを駆動させるための駆動手段と、前記撮像手段による撮像を指示するための指示手段と、を備えることを特徴とする。
【００１４】
請求項９に記載の発明は、請求項８に記載のカメラモジュールであって、前記第１の回動軸または第２の回動軸の一方に隣接して、当該カメラモジュールにて撮像された画像を表示出力するための第１のデータ伝送手段と、前記第１の回動軸または第２の回動軸の他方に隣接して、当該カメラモジュールにて撮像された画像を保存出力するための第２のデータ伝送手段と、前記第２の伝送手段により入力されたデータを前記第１のデータ伝送手段を介して出力させるためのスイッチ手段とを更に備えたことを特徴とする。
【発明の効果】
【００１５】
請求項１に記載の撮像装置によれば、連結部でそれぞれ結合され、重ね合わされた状態の本体部と蓋部とを開くと、それぞれの回動軸と直角に交わる方向を撮像することができ、連結部を片手で持って撮影できるので、折り畳み式により取り扱い性に加え、カメラ撮影の取り扱い性にも優れる。
また、片手で本体部を把持して連結部に設けられた指示手段により操作を行うことができ、カメラ使用時に片手で持ちやすく、撮影動作を容易に行うことができる。
【００１６】
請求項２に記載の発明によれば、ユーザは連結部を片手で持ち、開いた状態で表示手段に表示された画面を確認しながらながらシャッターを切ることができ、確実な撮影を行うことができる。
【００１７】
請求項３に記載の発明によれば、折り畳んだコンパクトな状態でカメラを使用することができるため、より簡単に片手でのカメラ使用が可能となる。
【００１８】
請求項４に記載の発明によれば、折り畳みの状態に関わらず、撮像が行われているときは無線処理に関わる表示よりも撮像処理に関わる表示を優先させる構成であるため、より円滑な撮像処理を行うことができる。
【００１９】
請求項５に記載の発明によれば、音声による無線通信を行う構成を更に備えることにより、例えば折り畳み式カメラ付き携帯電話などでも、通信処理、撮像処理において互いの処理動作をスムーズに行うことができる。
【００２０】
請求項６に記載の発明によれば、レンズバリアを設け、レンズが露出した状態により撮影モードを開始する構成であるため、不必要時にはレンズを覆って保護し、レンズの損傷を防ぐことができる。
【００２１】
請求項７に記載の発明によれば、レンズを駆動させるための駆動手段を備えることにより、精密な合焦調整や画角の調整などを行うことができる。
【００２２】
請求項８に記載の発明によれば、撮影の指示手段とレンズとを備えるカメラモジュールであり、例えば請求項１に記載の撮像装置における連結部や、高密度実装が要求されるカメラ付き携帯電話などのカメラモジュールとして活用することができる。
【００２３】
請求項９に記載の発明によれば、第１、及び第２の伝送手段と、出力を切り替えるスイッチ手段を備える構成のカメラモジュールであるため、例えば、画像の保存、操作、及び制御を行う本体部と表示を行う表示部との間に設けることができ、本モジュールを利用した撮像装置などの装置構成を自由にできるため、サイズの小型化を図ることができる。特に、高密度実装を要する折り畳み式カメラ付き携帯電話のカメラモジュールとして活用することができる。
【発明を実施するための最良の形態】
【００２４】
以下、図を参照して本発明を実施するための最良の形態を詳細に説明する。
（実施形態１）
本発明を適用した折り畳み式携帯電子機器の一実施形態として携帯電話機を示した図１及び図２において、１は本体部、２は蓋部、３は連結部、４は第１ヒンジ部、５は第２ヒンジ部である。
本体部１は、一面１ａ側にカメラキー等を含む各種入力キー及びテンキー等による操作部（図３の入力部１１参照）を備えている。図１（ａ）及び図２（ａ）に示すように、本体部１の操作部１１を有する面１ａ上の長手方向に沿って蓋部２が重ねられる。これら本体部１及び蓋部２は、その重ねられた状態の長手方向一端側において、連結部３を介して互いに回動自在に組み付けられている。
【００２５】
蓋部２は、本体部１を覆う大きさであり、本体部１に重なる面２ａ側にメイン表示部２１（図３参照）を備え、その裏面側に、図１（ｂ）に示すように、サブ表示部２２を備えている。
連結部３は、一端側において、図２に示したように、本体部１の端部に対し第１ヒンジ部４により回動自在に結合されるとともに、蓋部２の端部に対し第２ヒンジ部５により回動自在に結合されている。
この連結部３には、図１（ｂ）に示すように、ヒンジ部４・５と反対側の先端面にカメラ部３１を備えている。そして、連結部３の上面にはシャッターボタン３２が備えられている。また、連結部３の先端面には、カメラ部３１を開閉するレンズバリア３３が組み付けられている。
【００２６】
図３は実施形態の携帯電話機の通信・画像・制御処理を示したブロック図である。
無線部１２１は、アンテナ（図１及び図２の外観には表れない内蔵アンテナ）１０１に接続されて当該アンテナ１０１を駆動制御する回路部であり、外部の通信サービス事業者が採用する無線通信方式（例えばＣＤＭＡ、ＰＤＣ、ＧＳＭ等）に基づく無線信号の変調処理、及び、端末認証処理を含む通信処理を行う。
制御部１２２は、当該携帯電話機の回路全体を制御するとともに、通信サービス事業者を経由したＷＷＷ接続の制御を行うもので、通信データ処理部１２２１、システムＲＯＭ１２２２及びオーディオインターフェース１２２３を有している。通信データ処理部１２２１は、音声復号符号化処理回路、パケットデータ生成回路、及び、パケットデータ復元回路を含み、通信サービス事業者が採用する通信プロトコルに沿ったデータ処理を行う。システムＲＯＭ１２２２には、当該携帯電話機の基幹部分を制御する基本システムが格納される。オーディオインターフェース１２２３は、通信データ処理部１２２１で処理される音声信号の入出力を行うものであって、図１及び図２の外観には示されないが、当該携帯電話機に備えられたスピーカ１０１、マイク１０３及び録音用マイク１０４が接続されている。
【００２７】
アドレス・データバス処理部１２３は、制御部１２２と周辺回路（図示破線枠内の回路）とのデータの入出力タイミング等を制御・管理するものである。ＲＡＭ１２４は、電話番号を含むアドレス帳データ、ネットワーク接続に用いられるメールデータ及びインターネットアドレス、及び、撮像デバイス（カメラ部）３１にて撮像された画像データ等の各種データを記憶する。プログラムＲＯＭ１２５は、画像処理プログラムを含む各種アプリケーションプログラム等を格納する。音源ＩＣ１２６は、報知音の波形を記憶するとともに、報知音としてメロディ等を出力するものである。アンプ１２７は音源ＩＣ１２６からの出力を増幅する。図１及び図２の外観には示されないが、携帯電話機に備えられた報知用スピーカ１０５は報知音を再生する。
【００２８】
表示モジュール系ドライバ１２８は、メイン表示部２１、サブ表示部２２、図１及び図２の外観には示されないが、携帯電話機に備えられた報知用ＬＥＤ１０６、フラッシュ用ＬＥＤ１０７を駆動するものである。撮像デバイス（カメラ部）３１は、その撮像レンズ３１１により被写体像が結像されるＣＣＤ等からなり、ＤＳＰ１２９は、この撮像デバイス（カメラ部）３１からの画像信号を処理するものである。
【００２９】
以上の通り、実施形態では、連結部３の一端側において、本体部１を第１ヒンジ部４により、蓋部２を第２ヒンジ部５によりそれぞれ結合した折り畳み式携帯電話機であって、連結部３のヒンジ部４・５と反対側の先端面にカメラ部３１が向いたものとなっている。
従って、図１（ａ）及び図２（ａ）に示される本体部１及び蓋部２を重ねた折り畳み状態から、本体部１及び蓋部２を連結部３に対しヒンジ部４・５で上方と下方にそれぞれ回動させて、図１（ｂ）及び図２（ｂ）に示したように、本体部１及び蓋部２を開くことで、携帯電話機を片手で持ってカメラ部３１による撮影に適した状態になる。
即ち、図１（ｂ）に示したように、連結部３のレンズバリア３３を横にスライドさせてカメラ部３１を開けてから、図１（ｃ）に示したように、本体部１及び蓋部２から前方に突出する連結部３を片手の中指の上に置いて後側から親指を当てた状態で、メイン表示部２１をファインダー（モニター）として見ながら人差し指でシャッターボタン３２を押すと、カメラ部３１により撮影できる。
【００３０】
以上のように、カメラ付き折り畳み式携帯電話機として、本体部１及び蓋部２を一端側でそれぞれヒンジ結合する連結部３の他端側に向けてカメラ部３１を設けた構成により、カメラ３１を内蔵した連結部３を片手でしっかりと挟んで持って撮影できる。従って、手振れを抑えて撮影でき、カメラ使用時の取り扱い性が良い。
また、本体部１及び蓋部２を折り畳んだ状態では、その延長上に位置する連結部３にカメラ部３１が内蔵されているため、コンパクトに設計できる。
そして、本体部１及び蓋部２を一端側でヒンジ結合する連結部３の他端側に向けてカメラ部３１を設ける構成なので、望遠レンズの内蔵にも有利に対応できるものである。
さらに、前述したようにカメラ３１を内蔵した連結部３を片手でしっかりと挟んで持つことにより手振れを抑えて撮影できるため、カメラの高性能化にも有利に対応できるものとなる。
【００３１】
（実施形態２）
この実施形態２では、基本構成が前述した実施形態１と同様の部材・部分には同一符号を付してその説明を省略し、連結部３を介して本体部１と蓋部２とを結合するカメラ付き折り畳み式携帯電話における電気的接続と撮像動作とについて詳細に説明する。
【００３２】
図４（ａ）、（ｂ）に連結部３を介して本体部１と蓋部２との内部における電子部品の電気的な接続構成を示す。図（ａ）は連結部分の側面図であり、図（ｂ）は連結部分の正面図である。
図４（ａ）、（ｂ）に示しように、本体部１の内部には、電子部品として本体部１の各部を電気的に接続する本体部基板１４が配される。同様に蓋部２の内部には蓋部基板１５が配され、連結部３の内部にはカメラモジュール３００等を搭載した連結部基板１６が配される。
本体部１と連結部３とを結合する第１ヒンジ部４は、それぞれが筒状の第１ヒンジ接続部４ａと第１ヒンジ接続部４ｂとからなり、同様に連結部３と蓋部２とを結合する第２ヒンジ部５は、第２ヒンジ接続部５ａと第２ヒンジ接続部５ｂとからなる。
【００３３】
フレキシブルケーブル１７ａ、１７ｂは、フレキシブルな基板に配線を設けたものであり、例えば、可撓性を有するプラスティックフィルム（ポリイミド、ポリエステル）の上に導体パターンを形成したフレキシブル・プリント基板（ＦＰＣ：Flexible  Printed  Circuit）などが挙げられ、折り曲げや屈曲、可動部配線を可能にして一端側と他端側とを電気的に接続するものである。
フレキシブルケーブル１７ａは、本体部基板１４の一端と連結部基板１６の一端とを第１ヒンジ接続部４ａの内部を引き廻されて接続される。同様にフレキシブルケーブル１７ｂは、連結部基板１６の一端と蓋部基板１５の一端とを第２ヒンジ接続部５ｂの内部を引き廻されて接続される。
そして、本体部１と連結部３及び蓋部２と連結部３が回動した場合は、フレキシブルケーブル１７ａ、フレキシブルケーブル１７ｂが弛緩又は屈曲することで、接続する基板間を電気的に接続する。
【００３４】
図５にカメラ付き折り畳み式携帯電話の内部構成を示す。
本体部１は、アンテナ部１０１、無線部１２１、制御部１２２、スピーカ１０５、ＡＭＰ１２７、音源ＩＣ１２６、操作部（入力部）１１、画像メモリ１３０、プログラムＲＯＭ１２５、メインＲＡＭ１２４、及びマイク１０４を備える。蓋部２は、表示系ドライバ１２８、メイン表示部２１、サブ表示部２２、Ｄ／Ａ部１０２１、及びスピーカ１０２を備える。連結部３は、カメラモジュール３００、アドレス・データバス処理部１２３、画像処理部１３１、レンズバリア開閉検出部１３６、及び開閉検出部１３７を備える。
【００３５】
カメラモジュール３００は、デジタルカメラの機能を有し、撮像画像を画像データとして出力するモジュールであり、フラッシュ用ＬＥＤ（発光部材）１０７、カメラ制御部１３３、スイッチ検出部１３８、カメラＲＡＭ１３２、モータ１３４、レンズ３１１、シャッタ１３５、撮像デバイス３１、及びＤＳＰ１２９を備える。
カメラ制御部１３３は、内部ＲＯＭ（特に図示しない）に格納されているシステムプログラムや画像処理プログラムを含む各種アプリケーションプログラムを読み出し、後述するカメラＲＡＭ１３２に形成されたワークメモリに展開し、これらプログラムや制御部１２２の指示に従ってカメラモジュール３００内の各部、画像処理部１３１、及び表示系ドライバ１２８を制御する。
カメラＲＡＭ１３２は、カメラ制御部１３３が各種処理を実行する際に各種データやバッファの展開や撮像された画像データを一時的に格納するメモリ領域を形成する。
モータ１３４は、ステッピングモータ又はピエゾモータなどであり、レンズ３１１を移動させることで撮像デバイス３１に結像される被写体の大きさ（画角）又はピントの調整（合焦点調整）を行う。
シャッタ１３５は、レンズ３１１の開口部の大きさを調整して撮像デバイス３１に露光される被写体の光量を調整する。スイッチ検出部１３８は、シャッターボタン３２の押下状態として半押し状態と本押し状態とを識別して出力するスイッチである。
【００３６】
画像処理部１３１は、ＤＳＰ１２９から入力されるＹＵＶ信号などによる画像データなどを元に、輝度調整やホワイトバランス調整等の各種画像調整、ＧＩＦやＪＰＥＧ、ＴＩＦＦ、ＢＭＰ等の規格に準拠した形式への画像変換、又は画像データの圧縮／復号化処理を行う。
レンズバリア開閉検出部１３６は、レンズバリア３３の開閉を検出するマイクロスイッチであり、レンズバリア３３の開状態又は閉状態を検出して制御部１２２へ検出信号を出力する。
開閉検出部１３７は、第１ヒンジ接続部４ｂ及び第２ヒンジ接続部５ａの内部にあるマイクロスイッチであり、本体部１と蓋部２との相対的な角度からその開閉を検出する（閉状態であることを示す図２（ａ）、及び開状態であることを示す図２（ｂ）を参照）。
【００３７】
画像メモリ１３０は、カメラモジュール３００により撮影された画像やデータ通信により取得された画像などの画像データを記憶するものであり、例えばフラッシュメモリ等の不揮発性メモリから構成される。
Ｄ／Ａ部１０２１は、オーディオインターフェイス１２２３からの音声デジタル信号をＤ／Ａ変換してスピーカ１０２に出力する。
【００３８】
ここで上述のカメラ付き折り畳み式携帯電話における撮像動作について、図９を参照して説明する。
先ず制御部１２２は、レンズバリア３３が開かれたことをレンズバリア開閉検出部１３６で検出することによりユーザからの撮影モードへの移行指示を検出し（ステップＡ１）、検出されない場合（ステップＡ１：Ｎ）、そのまま終了する。
ステップＡ１において、撮影モードへ移行する指示を検出した場合（ステップＡ１：Ｙ）、制御部１２２は、アドレス・データバス処理部１２３のデータ入出力について、カメラモジュール３００から画像処理部１３１への入出力と画像処理部１３１から表示系ドライバ１２８への出力とを優先するように指示し（ステップＡ２）、カメラ制御部１３３に指示を送り指示を送りカメラモジュール３００の各部を起動させて撮影モードへ移行させ（ステップＢ１）、表示系ドライバ１２８へ指示して、メイン表示部２１又はサブ表示部２２の表示画面に撮影モードへ切替中であることを示す画像を表示させる（ステップＣ１）。
【００３９】
ここで、ステップＡ１、２における制御信号の流れを図６に示す。
図６は、前述したカメラ付き折り畳み式携帯電話の内部構成（図７を参照）にレンズバリア開閉検出部１３６によりレンズバリア３３が開かれたことを検出してカメラモジュール３００を起動するためにカメラ制御部１３３へ指示を送信するまでの制御信号を点線で示した図である。
【００４０】
ステップＢ１の後、カメラ制御部１３３は、撮像デバイス３１で撮像されてＤＳＰ１２９により変換された画像データ（ＹＵＶ信号）を画像処理部１３１へ出力し（ステップＢ２）、該画像処理部１３１でＲＧＢなどの表示用の画像形式に変換された画像データを表示系ドライバ１２８へ出力して（ステップＢ３）、開閉検出部１３７による開状態である場合（図２（ｂ）を参照）は本体部と重なる側にあるメイン表示部２１に、閉状態である場合（図２（ａ）を参照）は本体部と重ならない側にあるサブ表示部２２にその画像を表示する（ステップＣ２）。
ここにおいて、カメラ制御部１３３は、開閉検出部１３７からの信号に応じて開状態から閉状態への移行又はその逆を検出した場合（ステップＢ４：Ｙ）、画像の表示を上述したメイン表示部２１又はサブ表示部２２に切り替える（ステップＢ５）。
【００４１】
ここで、ステップＢ１〜Ｂ５、及びステップＣ２における制御信号と画像信号の流れを図７に示す。
図７は、カメラ制御部１３３の指示によりカメラモジュール３００の各部を起動して制御することで、撮像デバイス３１で撮影された画像をスルー画像として表示画面に表示してファインダー機能を実現させる制御信号（点線）と画像信号（一点鎖線）とを示した図である。
図７に示したように、ファインダー機能を実現させる処理は、カメラ制御部１３３が蓋部２と連結部３の各部を制御して行う。この間、制御部１２２は、無線部１２１からの着信待ち受け状態又は通信状態であり（ステップＡ３）、着信処理又はデータ通信などの他の処理に集中させることができるため、機器を効率的に稼動させることができる。
【００４２】
次に、ステップＢ１〜Ｂ５、及びステップＣ２におけるスルー画像の表示処理時において、カメラ制御部１３３は、スイッチ検出部１３８によりシャッターボタン３２の半押し状態を検出し（ステップＢ６：Ｙ）、モータ１３４を駆動して合焦点調整を行い（ステップＢ７）、シャッターボタン３２の本押し状態を検出して（ステップＢ８：Ｙ）、撮像デバイス３１で撮影された画像データ（ＹＵＶ信号）を画像処理部１３１でＪＰＥＧなどの所定の画像形式へ変換及び圧縮符号化処理を行い（ステップＢ９）、その処理された画像データを制御部１２２へ送る。
そして、制御部１２２では、画像処理部１３１から送られた画像データを画像メモリ１３０に格納し（ステップＡ４）、レンズバリア３３が閉じられたことが検出されるまでステップＡ２〜Ａ４の処理を行うように待機する（ステップＡ５）。
【００４３】
ここで、ステップＢ６〜Ｂ９、及びステップＡ４における制御信号と画像信号の流れを図８に示す。
図８は、シャッターボタン３２押下により撮像デバイス３１で撮像された画像が画像処理部１３１で変換された後に画像メモリ１３０に格納されることを示す図である。これにより、制御部１２２は、ユーザがファインダー機能で確認しながらシャッターボタン３２の押下により得られた画像データを保存する処理を行うだけでよく、通信などの他の処理を集中して行うことができる。
【００４４】
ステップＡ５において、レンズバリア３３が閉じられたことによる撮影モードの終了が検出されると（ステップＡ５：Ｙ）、制御部１２２は、カメラ制御部１３３と表示系ドライバ１２８とに撮影モード終了の制御信号を出力し、アドレス・データバス処理部１２３のデータ入出力を制御部１２２からのものを優先するように指示して（ステップＡ６）、終了する。
また、カメラ制御部１３３は、撮影モード取留用の制御信号の入力を検出することで（ステップＢ１０：Ｙ）、カメラモジュール３００の各部の動作を終了させる（ステップＢ１１）。また、表示系ドライバ１２８は、撮影モード終了の制御信号を受信すると（ステップＣ３：Ｙ）、メイン表示部２１又はサブ表示部２２の表示画面に表示する画像を制御部１２２から入力される画像信号に切り替え（ステップＣ４）、終了する。
【００４５】
以上のように、レンズバリア３３の開閉を検出するレンズバリア開閉検出部１３６によりカメラモジュール３００を起動させることができ、蓋部２の両面に撮像画像を表示する構成であるため、折り畳んだ状態か開いた状態かに関わらず、カメラ撮影による撮像画像を確認することができる。
また、カメラモジュール３００と無線部１２１との制御を別に行う構成であるため、互いの動作が影響を及ぼすことなく、円滑に行うことができる。
【００４６】
また、開閉検出部１３７により、折り畳んだ状態と開いた状態とを検知して撮像画像を表示する面をメイン表示部２１又はサブ表示部２２に切り替える構成であるため、余分な表示画面への表示を抑制し、電力消費を抑え、効率的な撮像画像の表示を行うことができる。
【００４７】
また、カメラモジュール３００とカメラ制御部１３３を連結部３に設け、無線部１２１と制御部１２２とを本体部１に設ける構成であるため、カメラ動作時及び無線通信時における互いが受けるノイズの低減化が可能となる。
【００４８】
また、カメラモジュール３００と、表示系ドライバ１２８と、本体部１との間にデータ通信を制御するアドレス・データバス処理部１２３を設けることで、カメラモジュール３００による撮像画像をメイン表示部２１又はサブ表示部２２に表示するときに、本体部１側へ画像データが流入することがなく、本体部１側のデータバスが画像データに占有されることがないため、本体部１側にある無線部１２１の処理への影響を抑えることができる。
さらに、撮影時におけるカメラモジュール３００からメイン表示部２１又はサブ表示部２２への画像データの通信を本体部１からの通信より優先させる構成であるため、撮像画像のリアルタイム表示を円滑に行うことができる。
【００４９】
なお、以上の実施形態においては、携帯電話機としたが、本発明はこれに限定されるものではなく、ＰＤＡなど他の携帯通信端末機器を含む携帯電子機器であっても良い。
また、連結部の形状も任意であり、その他、具体的な細部構造等についても適宜に変更可能であることは勿論である。例えば本体部及び蓋部を連結部に共通にヒンジ結合しても良く、レンズバリアをスライド機構とせずに着脱式とする構成でも良い。
【図面の簡単な説明】
【００５０】
【図１】本発明を適用した折り畳み式携帯電子機器の一実施形態の構成を示す斜視図で、（ａ）は携帯電話機の本体部上に蓋部を重ねた状態を示した図、（ｂ）は本体部及び蓋部を開いて本体部の延長上に位置させた状態を示した図、（ｃ）は撮影状態を示した図である。
【図２】図１の携帯電話機の側面図を示したもので、（ａ）は本体部に蓋部を重ねた状態を示した図、（ｂ）は本体部及び蓋部を開いて本体部の延長上に位置させた状態を示した図である。
【図３】実施形態１の携帯電話機の通信・画像・制御処理を示したブロック図である。
【図４】実施形態２の携帯電話機の本体部及び蓋部を開いて本体部の延長上に位置させた状態における内部の電気的な接続構成を示す図で、（ａ）は連結部分の側面図、（ｂ）は連結部分の正面図である。
【図５】実施形態２の携帯電話機の機能的構成を模式的に示すブロック図である。
【図６】図５の携帯電話機における信号の流れを示したもので、カメラモジュールが起動するまでの制御信号の流れを示す図である。
【図７】図５の携帯電話機における信号の流れを示したもので、撮像画像の表示部への表示時における制御信号と画像信号の流れを示す図である。
【図８】図５の携帯電話機における信号の流れを示したもので、シャッターボタン押下により撮像画像が保存されるまでの制御信号と画像信号の流れを示す図である。
【図９】実施形態２の携帯電話において撮影モードへの移行から終了までのシーケンスを説明する図である。
【符号の説明】
【００５１】
１  本体部
１１  操作部
１４  本体部基板
１５  蓋部基板
１６  連結部基板
１７ａ  フレキシブルケーブル（第１のデータ伝送手段）
１７ｂ  フレキシブルケーブル（第２のデータ伝送手段）
１０１  アンテナ部
１０２  スピーカ（音声出力手段）
１０２１  Ｄ／Ａ部
１０４  マイク（音声入力手段）
１０５  スピーカ
１２１  無線部（無線通信手段、無線通信制御手段）
１２２１  通信データ処理部
１２２２  システムＲＯＭ
１２２３  オーディオインターフェイス
１２２  制御部（第２の表示制御手段、処理制御手段、無線通信制御手段）
１２３  アドレス・データバス処理部（スイッチ手段）
１２４  メインＲＡＭ
１２５  プログラムＲＯＭ
１２６  音源ＩＣ
１２７  ＡＭＰ
１２８  表示系ドライバ
１２９  ＤＳＰ
１３０  画像メモリ
１３１  画像処理部
１３２  カメラＲＡＭ
１３３  カメラ制御部（撮像制御手段、第１の表示制御手段）
１３４  モータ（駆動手段）
１３５  シャッタ
１３６  レンズバリア開閉検出部
１３７  開閉検出部
１３８  スイッチ検出部
２  蓋部
２１  メイン表示部（第１の表示手段）
２２  サブ表示部（第２の表示手段）
３  連結部（筐体）
３１  カメラ部（撮像手段、開始指示手段）
３２  シャッターボタン（指示手段）
３３  レンズバリア
３００  カメラモジュール
３１１  レンズ
４  第１ヒンジ部（第１の回動軸）
４ａ、４ｂ  第１ヒンジ接続部
５  第２ヒンジ部（第２の回動軸）
５ａ、５ｂ  第２ヒンジ接続部
【図１】
2005167985.tif 000003
【図２】
2005167985.tif 000004
【図３】
2005167985.tif 000005
【図４】
2005167985.tif 000006
【図５】
2005167985.tif 000007
【図６】
2005167985.tif 000008
【図７】
2005167985.tif 000009
【図８】
2005167985.tif 000010
【図９】
2005167985.tif 000011